(57)【特許請求の範囲】
【請求項１】
電圧変換部の複数と、
前記電圧変換部にＰＷＭ信号を出力し、前記電圧変換部を個々に制御する制御部とを有する多相型のコンバータにおいて、
前記制御部は、
個々の前記電圧変換部にＰＷＭ信号を出力し、所定の検査時期に、検査動作を行う対象の電圧変換部又は対象の電圧変換部の組に対するＰＷＭ信号のデューティ比を変動させる信号制御部と、
複数の前記電圧変換部の中から、前記検査時期に電流、電圧、温度の少なくともいずれかについて所定の異常状態を発生させた異常の電圧変換部又は異常の電圧変換部の組を特定する異常特定部と、
前記異常特定部によって特定された場合に、複数の前記電圧変換部のうち、特定された前記異常の電圧変換部又は前記異常の電圧変換部の組を除いた残余の電圧変換部に電圧変換を行わせる動作制御部とを含む多相コンバータ。
【請求項２】
前記信号制御部は、前記検査動作を行う際に、対象ではない電圧変換部に対して前記検査動作で変化されたデューティ比とは異なるデューティ比のＰＷＭ信号を出力し続けて電圧変換を継続させる請求項１に記載の多相コンバータ。
【請求項３】
複数の前記電圧変換部において前記電圧変換部毎に又は前記電圧変換部の組毎にそれぞれ対応付けられ且つ電流、電圧、温度の少なくともいずれかを前記電圧変換部毎又は前記電圧変換部の組毎に検出するように構成された複数の検出部を備え、
前記異常特定部は、前記検出部での検出結果に基づいて、前記検査動作が行われた前記対象の電圧変換部又は前記対象の電圧変換部の組が異常であるか否かを特定する請求項１又は請求項２に記載の多相コンバータ。
【請求項４】
当該多相コンバータの所定位置の温度を検知する温度検知部をさらに備え、
前記異常特定部は、前記温度検知部で検知される温度が所定範囲内であるときに、前記信号制御部によって前記検査動作が行われた前記対象の電圧変換部又は前記対象の電圧変換部の組に対応付けられた前記検出部での温度検出結果に基づいて、前記対象の電圧変換部又は前記対象の電圧変換部の組が異常であるか否かを特定する請求項３に記載の多相コンバータ。
【発明の詳細な説明】
【技術分野】
【０００１】
本発明は、多相コンバータに関するものである。
【背景技術】
【０００２】
スイッチ素子の駆動によって直流電圧を昇圧又は降圧するＤＣＤＣコンバータでは、複数の電圧変換部を並列に接続した構成の多相ＤＣＤＣコンバータが知られている。この種の多相ＤＣＤＣコンバータの例としては、例えば特許文献１のような技術が存在する。
【先行技術文献】
【特許文献】
【０００３】
【特許文献１】特開２０１３−４６５４１号公報
【発明の概要】
【発明が解決しようとする課題】
【０００４】
ところで、多相式のＤＣＤＣコンバータでは、いずれかの相のみが故障する場合も想定され、いずれかの相が故障した場合、ＤＣＤＣコンバータの動作を全て中止するのではなく、故障が発生していない相を利用して動作を継続することが望ましい場合もあり得る。特許文献１の電源装置は、このような要求に応えるものであり、各相チョッパ部のスイッチ素子に対する制御信号の立下りのエッジタイミングで、電流検出器により検出された電流値を取得し、取得した各電流値が異なればいずれかの各相チョッパ部の故障と判定している。そして、いずれかの各相チョッパ部で故障が発生していることが検出された場合でも、故障していない各相チョッパ部の動作を継続させ、故障していない各相チョッパ部の耐電流を超えないように発電機の出力を制限している。
【０００５】
しかしながら、特許文献１の電源装置は、単に各相チョッパ部のスイッチ素子がオープン故障になった場合に全体の出力を制限しているだけであり、故障が発生している部分を正確に特定した上で、その部分の動作を確実に停止させるという思想は存在しない。
【０００６】
本発明は上述した事情に基づいてなされたものであり、複数の電圧変換部を備えた多相コンバータにおいて、いずれかの相に異常が発生した場合に、故障が発生した相を確実に保護しつつ、それ以外の相で駆動を継続し得る構成を提供することを目的とするものである。
【課題を解決するための手段】
【０００７】
本発明の多相コンバータは、
電圧変換部の複数と、
前記電圧変換部にＰＷＭ信号を出力し、前記電圧変換部を個々に制御する制御部とを有する多相型のコンバータにおいて、
前記制御部は、
個々の前記電圧変換部にＰＷＭ信号を出力し、所定の検査時期に、検査動作を行う対象の電圧変換部又は対象の電圧変換部の組に対するＰＷＭ信号のデューティ比を変動させる信号制御部と、
複数の前記電圧変換部の中から、前記検査時期に電流、電圧、温度の少なくともいずれかについて所定の異常状態を発生させた異常の電圧変換部又は異常の電圧変換部の組を特定する異常特定部と、
前記異常特定部によって特定された場合に、複数の前記電圧変換部のうち、特定された前記異常の電圧変換部又は前記異常の電圧変換部の組を除いた残余の電圧変換部に電圧変換を行わせる動作制御部とを含む。
【０００８】
本発明の多相コンバータでは、ある検査時期に対象の電圧変換部又は対象の電圧変換部の組に対するＰＷＭ信号のデューティ比を変動させるように検査動作を行った場合、対象が正常であれば、電流、電圧、温度が適正に変動することになり、対象が異常であれば、電流、電圧、温度が適正に変動しないことになる。よって、複数の前記電圧変換部の中から、検査時期に電流、電圧、温度の少なくともいずれかについて所定の異常状態を発生させた異常の電圧変換部又は異常の電圧変換部の組を特定する構成とすれば、異常が生じている相又は異常が生じている相の組をより正確に特定しやすくなる。
そして、動作制御部は、異常特定部によって特定された場合に、複数の電圧変換部のうち、特定された異常の電圧変換部又は異常の電圧変換部の組を除いた残余の電圧変換部に電圧変換を行わせる。よって、異常となっている範囲（１又は複数の相）の動作を確実に停止し続けて保護を図りつつ、残余の電圧変換部によって電圧変換を継続することができる。
本発明において、「所定の異常状態」とは、電圧変換部における電流、電圧、温度の状態が予め定められた正常状態から外れる状態である。例えば、電圧変換部における電流、電圧、温度のいずれかが規定された正規範囲から外れるような回路状態を「所定の異常状態」としてもよい。或いは、電圧変換部における電流、電圧、温度のいずれかが予め定められた急上昇状態又は急下降状態になるような回路状態を「所定の異常状態」としてもよい。
本発明において、「所定の検査時期」とは、ＤＣＤＣコンバータで検査を行うべき期間として予め定められた時期である。具体的には、決められた検査開始条件が成立した時から決められた終了タイミングまでの時期とすることができる。「検査開始条件」は、様々な条件とすることができ、例えば、「イグニッション信号がオフからオンに切り替わってから一定時間経過したこと」を検査開始条件としてもよく、「ＤＣＤＣコンバータの動作開始から一定時間経過したこと」を検査開始条件としてもよい。或いは、「前回の検査時期から一定時間経過したこと」を検査開始条件としてもよい。これらはあくまで一例であり、これら以外の様々な条件を検査開始条件とすることができる。また、「所定の検査時期」の終了タイミングも様々なタイミングとすることができ、例えば、「デューティ比の変動（検査動作）を開始してから一定時間経過したタイミング」としてもよく、予め決められた終了条件が成立したタイミングとしてもよい。
【図面の簡単な説明】
【０００９】
【図１】実施例１のＤＣＤＣコンバータを概略的に例示する回路図である。
【図２】実施例１におけるデューティ比の切り替えを説明する説明図である。
【図３】実施例２のＤＣＤＣコンバータを概略的に例示する回路図である。
【図４】実施例３のＤＣＤＣコンバータを概略的に例示する回路図である。
【図５】他の実施例のＤＣＤＣコンバータを概略的に例示する回路図である。
【発明を実施するための形態】
【００１０】
発明の望ましい形態を以下に例示する。
本発明において、信号制御部は、検査動作を行う際に、対象ではない電圧変換部に対して検査動作で変化されたデューティ比とは異なるデューティ比のＰＷＭ信号を出力し続けて電圧変換を継続させる構成であってもよい。
【００１１】
この構成によれば、複数の電圧変換部の動作をできるだけ停止させずに異常が生じている電圧変換部又は異常が生じている電圧変換部を含む組を特定することができる。
【００１２】
本発明は、複数の電圧変換部において電圧変換部毎に又は電圧変換部の組毎にそれぞれ対応付けられ且つ電流、電圧、温度の少なくともいずれかを電圧変換部毎又は電圧変換部の組毎に検出するように構成された複数の検出部を備えていてもよい。そして、異常特定部は、検出部での検出結果に基づいて、検査動作が行われた対象の電圧変換部又は対象の電圧変換部の組が異常であるか否かを特定する構成であってもよい。
【００１３】
この構成によれば、検査動作の対象の電圧変換部又は対象の電圧変換部の組において、電流、電圧、温度の少なくともいずれかがデューティ比の変動に伴ってどの程度変化したのかを、装置がより正確に把握し、対象の電圧変換部又は対象の電圧変換部の組が異常であるか否かをより正確に特定することができる。
【００１４】
本発明は、当該多相コンバータの所定位置の温度を検知する温度検知部をさらに備えていてもよい。そして、異常特定部は、温度検知部で検知される温度が所定範囲内であるときに、信号制御部によって検査動作が行われた対象の電圧変換部又は対象の電圧変換部の組に対応付けられた検出部での温度検出結果に基づいて、対象の電圧変換部又は対象の電圧変換部の組が異常であるか否かを特定する構成であってもよい。
【００１５】
このようにすれば、多相コンバータが予定されていない温度条件（所定位置の温度が所定範囲外となる条件）となっているときに、異常特定部によって温度に基づく異常特定がなされてしまうことを防ぐことができる。
【００１６】
＜実施例１＞
以下、本発明を具体化した実施例１について説明する。
図１で示すＤＣＤＣコンバータ１は、例えば、車載用の降圧型ＤＣＤＣコンバータとして構成されており、入力側導電路７１に印加された直流電圧を降圧して出力側導電路７２に出力する構成をなすものである。
【００１７】
図１のＤＣＤＣコンバータ１には、入力側導電路７１及び出力側導電路７２を備えるとともに電源ラインとして機能する電源導電路７０と、電源導電路７０の電位よりも低い一定の基準電位（グラウンド電位）に保たれる基準導電路７８とが設けられている。そして、入力側導電路７１と出力側導電路７２との間には、入力側導電路７１に印加された入力電圧を降圧して出力電圧を生成する複数の電圧変換部４Ａ，４Ｂが並列に設けられている。このＤＣＤＣコンバータ１は、制御部２によって電圧変換部４Ａ，４ＢにＰＷＭ信号を出力し、電圧変換部４Ａ，４Ｂを個々に制御する多相型のコンバータ（多相コンバータ）として構成されている。
【００１８】
入力側導電路７１は、相対的に高い電圧が印加される一次側（高圧側）の電源ラインとして構成され、一次側電源部６１の高電位側の端子に導通するとともに、その一次側電源部６１から所定の直流電圧（例えば、４８Ｖ）が印加される構成をなす。この入力側導電路７１は、後述する複数の個別入力路４２Ａ，４２Ｂにそれぞれ接続されている。
【００１９】
一次側電源部６１は、例えば、リチウムイオン電池、或いは電気二重層キャパシタ等の蓄電手段によって構成され、第１の所定電圧を発生させるものである。一次側電源部６１の高電位側の端子は例えば４８Ｖに保たれ、低電位側の端子はグラウンド電位（０Ｖ）に保たれている。
【００２０】
出力側導電路７２は、相対的に低い電圧が印加される二次側（低圧側）の電源ラインとして構成されている。この出力側導電路７２は、例えば、二次側電源部６２の高電位側の端子に導通するとともに、その二次側電源部６２から一次側電源部６１の出力電圧よりも小さい直流電圧（例えば１２Ｖ）が印加される構成をなす。
【００２１】
二次側電源部６２は、例えば、鉛蓄電池等の蓄電手段によって構成され、一次側電源部６１で発生する第１の所定電圧よりも低い第２の所定電圧を発生させるものである。例えば、二次側電源部６２の高電位側の端子は１２Ｖに保たれ、低電位側の端子はグラウンド電位（０Ｖ）に保たれている。なお、図１の例では、出力側導電路７２に設けられた端子６４が二次側電源部６２の正極側の端子に接続される状態が、二次側電源部６２の正規の接続状態である。
【００２２】
基準導電路７８は、グラウンドとして構成され、一定のグラウンド電位（０Ｖ）に保たれている。この基準導電路７８には、一次側電源部６１の低電位側の端子と二次側電源部６２の低電位側の端子とが導通し、更に、後述するスイッチ素子３２Ａ，３２Ｂのドレインが接続されている。
【００２３】
入力側導電路７１と出力側導電路７２との間には、多相変換部４が設けられている。この多相変換部４は、入力側導電路７１と出力側導電路７２との間に並列に配置される複数の電圧変換部４Ａ，４Ｂを備える。これら電圧変換部４Ａ，４Ｂは、同期整流方式の降圧型コンバータとして機能する。
【００２４】
入力側導電路７１から分岐する第１の電圧変換経路３Ａには、入力側導電路７１に接続される個別入力路４２Ａ（個別導電路）と、駆動用のスイッチ素子５Ａ，６Ａのオンオフ動作により個別入力路４２Ａに入力された電圧を変換する電圧変換部４Ａと、電圧変換部４Ａによって変換された電圧の出力経路となる個別出力路５２Ａ（個別導電路）とが設けられている。そして、個別入力路４２Ａには、個別入力路４２Ａを通電状態と非通電状態とに切り替える保護用のスイッチ素子２０Ａが設けられている。また、個別出力路５２Ａには、逆流時に個別出力路５２Ａを通電状態と非通電状態とに切り替える保護用のスイッチ素子２４Ａが設けられている。
【００２５】
電圧変換部４Ａにおいて、ハイサイド側のスイッチ素子５Ａのドレインには、入力側導電路７１から分岐した個別入力路４２Ａが接続されている。このスイッチ素子５Ａのドレインは、入力側コンデンサ８Ａの一方側の電極に導通し、個別入力路４２Ａに介在するスイッチ素子２０Ａがオン状態のときには一次側電源部６１の高電位側端子にも導通する。また、スイッチ素子５Ａのソースには、ローサイド側のスイッチ素子６Ａのドレイン及びコイル１２Ａの一端が接続されている。ローサイド側のスイッチ素子６Ａのソースには、入力側コンデンサ８Ａ及び出力側コンデンサ１０Ａの各電極が接続されている。また、コイル１２Ａの他端は、出力側コンデンサ１０Ａの一方の電極、及びスイッチ素子２４Ａのソースに接続されている。そして、スイッチ素子５Ａのゲートには、制御部２からの駆動信号及び非駆動信号が入力されるようになっており、制御部２からの信号に応じてスイッチ素子５Ａがオン状態とオフ状態とに切り替わるようになっている。ローサイド側のスイッチ素子６Ａのゲートにも、制御部２からの駆動信号及び非駆動信号が入力されるようになっており、制御部２からの信号に応じてスイッチ素子６Ａがオン状態とオフ状態とに切り替わるようになっている。
【００２６】
入力側導電路７１から分岐する第２の電圧変換経路３Ｂは、第１の電圧変換経路３Ａと同様に構成されている。この第２の電圧変換経路３Ｂには、入力側導電路７１に接続される個別入力路４２Ｂ（個別導電路）と、駆動用のスイッチ素子５Ｂ，６Ｂのオンオフ動作により個別入力路４２Ｂに入力された電圧を変換する電圧変換部４Ｂと、電圧変換部４Ｂによって変換された電圧の出力経路となる個別出力路５２Ｂ（個別導電路）とが設けられている。そして、個別入力路４２Ｂには、個別入力路４２Ｂを通電状態と非通電状態とに切り替える保護用のスイッチ素子２０Ｂが設けられている。また、個別出力路５２Ｂには、逆流時に個別出力路５２Ｂを通電状態と非通電状態とに切り替える保護用のスイッチ素子２４Ｂが設けられている。
【００２７】
電圧変換部４Ｂにおいて、ハイサイド側のスイッチ素子５Ｂのドレインには、入力側導電路７１から分岐した個別入力路４２Ｂが接続されている。このスイッチ素子５Ｂのドレインは、入力側コンデンサ８Ｂの一方側の電極に導通し、個別入力路４２Ｂに介在するスイッチ素子２０Ｂがオン状態のときには一次側電源部６１の高電位側端子にも導通する。また、スイッチ素子５Ｂのソースには、ローサイド側のスイッチ素子６Ｂのドレイン及びコイル１２Ｂの一端が接続されている。ローサイド側のスイッチ素子６Ｂのソースには、入力側コンデンサ８Ｂ及び出力側コンデンサ１０Ｂの各電極が接続されている。また、コイル１２Ｂの他端は、出力側コンデンサ１０Ｂの一方の電極、及びスイッチ素子２４Ｂのソースに接続されている。そして、スイッチ素子５Ｂのゲートには、制御部２からの駆動信号及び非駆動信号が入力されるようになっており、制御部２からの信号に応じてスイッチ素子５Ｂがオン状態とオフ状態とに切り替わるようになっている。ローサイド側のスイッチ素子６Ｂのゲートにも、制御部２からの駆動信号及び非駆動信号が入力されるようになっており、制御部２からの信号に応じてスイッチ素子６Ｂがオン状態とオフ状態とに切り替わるようになっている。
【００２８】
そして、スイッチ素子６Ａ，６Ｂのソース、入力側コンデンサ８Ａ，８Ｂの片側の各電極、出力側コンデンサ１０Ａ，１０Ｂの片側の各電極は互いに導通しており、導電路７６を介してスイッチ素子３２Ａ，３２Ｂの各ソースに接続されている。スイッチ素子２４Ａ，２４Ｂのドレインは互いに導通し、出力側導電路７２に接続されている。
【００２９】
このように構成される電圧変換部４Ａ，４Ｂの各々は、同期整流方式の降圧型コンバータとして機能する。電圧変換部４Ａは、ハイサイド側のスイッチ素子５Ａのオン動作とオフ動作との切り替えを、ローサイド側のスイッチ素子６Ａのオフ動作とオン動作との切替と同期させて行うことで、個別入力路４２Ａに印加された直流電圧を降圧し、個別出力路５２Ａに出力する。具体的には、制御部２により、スイッチ素子５Ａ，６ＡのそれぞれのゲートにＰＷＭ信号が与えられ、スイッチ素子５Ａをオン状態とし、スイッチ素子６Ａをオフ状態とした第１状態と、スイッチ素子５Ａをオフ状態とし、スイッチ素子６Ａをオン状態とした第２状態とが交互に切り替えられる。そして、このような第１状態と第２状態との切り替えを繰り返すことで、個別入力路４２Ａに印加された直流電圧を降圧し、個別出力路５２Ａに出力する。個別出力路５２Ａの出力電圧は、スイッチ素子５Ａ，６Ａのゲートに与えるＰＷＭ信号のデューティ比に応じて定まる。
【００３０】
電圧変換部４Ｂも同様であり、ハイサイド側のスイッチ素子５Ｂのオン動作とオフ動作との切り替えを、ローサイド側のスイッチ素子６Ｂのオフ動作とオン動作との切替と同期させて行うことで、個別入力路４２Ｂに印加された直流電圧を降圧し、個別出力路５２Ｂに出力する。具体的には、制御部２により、スイッチ素子５Ｂ，６ＢのそれぞれのゲートにＰＷＭ信号が与えられ、スイッチ素子５Ｂをオン状態とし、スイッチ素子６Ｂをオフ状態とした第１状態と、スイッチ素子５Ｂをオフ状態とし、スイッチ素子６Ｂをオン状態とした第２状態とが交互に切り替えられる。そして、このような第１状態と第２状態との切り替えを繰り返すことで、個別入力路４２Ｂに印加された直流電圧を降圧し、個別出力路５２Ｂに出力する。個別出力路５２Ｂの出力電圧は、スイッチ素子５Ｂ，６Ｂのゲートに与えるＰＷＭ信号のデューティ比に応じて定まる。なお、両電圧変換部４Ａ，４Ｂに与える駆動信号のタイミングは特に限定されず、例えば、電圧変換部４Ａの動作と、電圧変換部４Ｂの動作とを、公知の制御方法によって位相をずらして行えばよい。
【００３１】
更に、図１のＤＣＤＣコンバータ１は、逆接続保護回路部３０を備えており、二次側電源部６２が逆接続された場合に導電路７６の導通が遮断される構成とし、逆接続時の二次側への電流の流れ込みを防いでいる。この逆接続保護回路部３０は、両電圧変換部４Ａ，４Ｂと基準導電路７８との間の導電路７６に並列に配置される逆接続保護用のスイッチ素子３２Ａ，３２Ｂと、スイッチ素子３２Ａ，３２Ｂのゲート電位を出力側導電路７２の電位に保つ導電路３４とを備えている。スイッチ素子３２Ａ，３２Ｂは、導電路７６の導通を遮断するオフ状態と、その遮断を解除するオン状態とに切り替わる構成となっている。
【００３２】
逆接続保護回路部３０では、少なくとも二次側電源部６２（低圧側の電源部）の端子が図１のように正規の接続状態であることを条件としてスイッチ素子３２Ａ，３２Ｂがオン状態になる。この場合、多相変換部４が動作していない状態では、スイッチ素子３２Ａ，３２Ｂのゲート電位が二次側電源部６２の正極電位（例えば１２Ｖ）と略同電位になり、ゲート電位がソース電位よりも高い状態で維持されるため、スイッチ素子３２Ａ，３２Ｂはオン状態で維持される。そして、ローサイド側のスイッチ素子６Ａ，６Ｂのソース、入力側コンデンサ８Ａ，８Ｂ、出力側コンデンサ１０Ａ，１０Ｂは、いずれも基準導電路７８と導通した状態で維持される。一方、二次側電源部６２（低圧側の電源部）の端子が正負を逆にした逆接続状態である場合、スイッチ素子３２Ａ，３２Ｂのゲート電位が二次側電源部６２の負極の電位（例えば−１２Ｖ）と略同電位になり、ゲート電位がソース電位よりも低い状態で維持される。このため、スイッチ素子３２Ａ，３２Ｂはオフ状態で維持される。スイッチ素子３２Ａ，３２Ｂがオフ状態であるときには、スイッチ素子６Ａ，６Ｂのソース、入力側コンデンサ８Ａ，８Ｂ、出力側コンデンサ１０Ａ，１０Ｂは、いずれも基準導電路７８と導通しない状態となる。更に、図１の構成では、二次側電源部６２と出力側導電路７２との間がオープン状態になった場合でも、スイッチ素子３２Ａ，３２Ｂはオフ状態で維持されることになる。
【００３３】
ＤＣＤＣコンバータ１には、出力側導電路７２を流れる電流を検出するための電流検出経路８０が構成されている。この電流検出経路８０は、出力側導電路７２を流れる電流を公知の方法で検出する経路であり、制御部２は、この電流検出経路８０を介して入力された値によって出力側導電路７２を流れる電流の値を把握している。なお、図１では、電流検出経路８０を簡略的に示しているが、電流検出経路８０における具体的な電流検出回路は、公知の様々な電流検出回路を用いることができ、出力側導電路７２を流れる電流の値Ｉｏを制御部２が把握できる構成であればよい。
【００３４】
そして、制御部２は、出力側導電路７２に過電流が生じているか否かを判断している。具体的には、制御部２は、出力側導電路７２を流れる電流値Ｉｏを予め定められた閾値Ｉｔと比較し、Ｉｏ≦Ｉｔであれば過電流状態ではないと判断し、Ｉｏ＞Ｉｔであれば過電流状態であると判断する。また、制御部２には、出力側導電路７２の電圧が入力され、出力側導電路７２に過電圧が生じているか否かをも判断している。具体的には、制御部２が検出した出力側導電路７２の電圧値Ｖｏを予め定められた閾値Ｖｔと比較し、Ｖｏ≦Ｖｔであれば過電圧状態ではないと判断し、Ｖｏ＞Ｖｔであれば過電圧状態であると判断する。そして、制御部２は、過電流状態又は過電圧状態が発生したとき、即ち、Ｉｏ＞Ｉｔ又はＶｏ＞Ｖｔとなったときには、保護用のスイッチ素子２０Ａ，２０Ｂをいずれもオフ状態に切り替える構成となっている。
【００３５】
また、制御部２は、出力側導電路７２を流れる電流の向きが多相変換部４側から二次側電源部６２側に向かう第１の向きであるか、二次側電源部６２側から多相変換部４側へ向かう第２の向きであるかを判定し得る構成となっている。そして、制御部２は、出力側導電路７２を流れる電流の向きが上述した「第２の向き」であることを検出した場合（即ち、電流方向が逆流状態であると判定した場合）に、保護用のスイッチ素子２４Ａ，２４Ｂをいずれもオフ状態に切り替える構成となっている。
【００３６】
次に、異常検出制御について説明する。
図１で示すように、制御部２には、図示しないイグニッションスイッチからのイグニッション信号が入力されるようになっている。イグニッションスイッチがオン状態であるときにはオン状態を示すイグニッション信号（オン信号）が制御部２に入力され、イグニッションスイッチがオフ状態であるときにはオフ状態を示すイグニッション信号（オフ信号）が制御部２に入力されるようになっている。そして、制御部２は、例えばイグニッション信号がオフ信号からオン信号に切り替わる毎に以下で説明する異常検出制御を行う。具体的には、イグニッション信号がオフ信号からオン信号に切り替わった後、入力側導電路７１に接続された図示しない発電機が動作する前に、一次側電源部６１から供給される電力を利用して異常検出制御を行うようにしてもよい。或いは、イグニッション信号がオフ信号からオン信号に切り替わった後、入力側導電路７１に接続された図示しない発電機が動作した後に、異常検出制御を行うようにしてもよい。なお、以下で示す異常検出制御のタイミングはあくまで一例であり、例えば、多相変換部４での異常発生時（過電流発生時、過電圧発生時、過熱発生時、逆流発生時等）やその他の低電圧制御時に以下で示す異常検出制御を行うようにしてもよい。
【００３７】
イグニッション信号がオフからオンに切り替わった後、制御部２は、多相変換部４を動作させる。まず、電圧変換部４Ａ，４Ｂに対し上述した通常動作を行わせる。このとき、電圧変換部４Ａ，４Ｂに対するＰＷＭ信号のデューティ比は、二次側電源部６２の出力電圧Ｖ０（例えば１２Ｖ）よりも高い電圧Ｖ１（例えば１３Ｖ）が出力側導電路７２に出力される所定のデューティ比Ｄ１とする。具体的には、電圧変換部４Ａの保護用のスイッチ素子２０Ａ，２４Ａをオン状態に切り替え、駆動用のスイッチ素子５Ａ，６Ａのそれぞれに対し、デューティ比Ｄ１に設定されたＰＷＭ信号を出力する。同様に、電圧変換部４Ｂの保護用のスイッチ素子２０Ｂ，２４Ｂをオン状態に切り替え、駆動用のスイッチ素子５Ｂ，６Ｂのそれぞれに対し、デューティ比Ｄ１に設定されたＰＷＭ信号を出力する。電圧変換部４Ａ，４Ｂのそれぞれに対するＰＷＭ信号は、例えば公知の方法で位相をずらして行う。このような通常動作では、例えば所定電圧Ｖ１を目標電圧とするように公知のフィードバック制御がなされ、所定電圧Ｖ１を得るためのデューティ比Ｄ１がフィードバック制御によって調整される。
【００３８】
その後、制御部２は、電圧変換部４Ａに対する検査動作を行う。具体的には、電圧変換部４Ａの保護用のスイッチ素子２０Ａ，２４Ａをオン状態としたまま、駆動用のスイッチ素子５Ａ，６Ａのそれぞれに対し、異常検出用のデューティ比Ｄ２に設定されたＰＷＭ信号を出力する。デューティ比Ｄ２は、例えば図２で示す「判定中」のように「判定前」のデューティ比Ｄ１よりも大きくしており、具体的には、デューティ比Ｄ１のときに出力される電圧Ｖ１（例えば１３Ｖ）よりも高い電圧Ｖ２（例えば１５Ｖ）が出力側導電路７２に出力されるデューティ比とする。電圧変換部４Ａの検査動作を行う検査期間に対象の電圧変換部４Ａに与えるデューティ比Ｄ２は、対象ではない電圧変換部４Ｂにおいて継続して設定される通常動作時の目標電圧値及び目標電流値とは異ならせた検査用の目標電圧値及び目標電流値を出力するためのデューティ比となっている。
【００３９】
電圧変換部４Ａは、変更されたデューティ比Ｄ２のＰＷＭ信号に応じて個別入力路４２Ａに印加された直流電圧を降圧し、個別出力路５２Ａに出力する電圧変換動作（検査動作）を行う。電圧変換部４Ａがこのような検査動作を行っている間は、他方の電圧変換部４Ｂに対してデューティ比Ｄ１のＰＷＭ信号を継続的に出力する。従って、電圧変換部４Ｂは、デューティ比Ｄ１のＰＷＭ信号に応じて個別入力路４２Ｂに印加された直流電圧を降圧し、個別出力路５２Ｂに出力する電圧変換動作（通常動作）を行う。制御部２は、このように電圧変換部４Ａのみのデューティ比を大きく変更する制御を所定時間行い、この所定時間（検査期間）の間、個別出力路５２Ａの電圧値Ｖａを第１閾値Ｖｔ１及び第２閾値Ｖｔ２と比較する。なお、第１閾値Ｖｔ１は、例えば、上述したＶ２よりも高い値であり、第２閾値Ｖｔ２は、上述したＶ２よりも低くＶ１よりも高い値である。そして、電圧変換部４Ａのデューティ比がＤ２に変更された所定時間（検査期間）の間に、Ｖａ＞Ｖｔ１又はＶａ＜Ｖｔ２の状態が生じた場合には、電圧変換部４Ａを異常であると判定する。つまり、電圧変換部４Ａが「異常の電圧変換部」であることが特定される。逆に、所定時間の間、Ｖｔ２＜Ｖａ＜Ｖｔ１で維持された場合には電圧変換部４Ａが正常であると判定する。なお、図１の例では、個別出力路５２Ａの電圧Ｖａが電圧検出部５４Ａによって検出され、個別出力路５２Ｂの電圧Ｖｂが電圧検出部５４Ｂによって検出されるようになっており、それぞれの検出部で検出された電圧Ｖａ，Ｖｂは、制御部２に入力されるようになっている。
【００４０】
次に、制御部２は、電圧変換部４Ｂに対する検査動作を行う。具体的には、電圧変換部４Ｂの保護用のスイッチ素子２０Ｂ，２４Ｂをオン状態としたまま、駆動用のスイッチ素子５Ｂ，６Ｂのそれぞれに対し、上述した異常検出用のデューティ比Ｄ２に設定されたＰＷＭ信号を出力する。電圧変換部４Ｂは、変更されたデューティ比Ｄ２のＰＷＭ信号に応じて個別入力路４２Ｂに印加された直流電圧を降圧し、個別出力路５２Ｂに出力する電圧変換動作（検査動作）を行う。電圧変換部４Ｂがこのような検査動作を行っている間は、他方の電圧変換部４Ａに対してデューティ比Ｄ１のＰＷＭ信号を出力する。従って、電圧変換部４Ａは、デューティ比Ｄ１のＰＷＭ信号に応じて個別入力路４２Ａに印加された直流電圧を降圧し、個別出力路５２Ａに出力する電圧変換動作（通常動作）を行う。なお、電圧変換部４Ｂの検査動作を行う検査期間に対象の電圧変換部４Ｂに与えるデューティ比Ｄ２は、対象ではない電圧変換部４Ａにおいて設定される通常動作時の目標電圧値及び目標電流値とは異ならせた検査用の目標電圧値及び目標電流値を出力するためのデューティ比となっている。制御部２は、このように電圧変換部４Ｂのみのデューティ比を変更する制御を所定時間行い、この所定時間（検査期間）の間、個別出力路５２Ｂの電圧値Ｖｂを上述した第１閾値Ｖｔ１及び第２閾値Ｖｔ２と比較する。そして、電圧変換部４Ｂのデューティ比がＤ２に変更された所定時間（検査期間）の間に、Ｖｂ＞Ｖｔ１又はＶｂ＜Ｖｔ２の状態が生じた場合には、電圧変換部４Ｂを異常であると判定する。つまり、電圧変換部４Ｂが「異常の電圧変換部」であることが特定される。逆に、所定時間の間、Ｖｔ２＜Ｖｂ＜Ｖｔ１で維持された場合には電圧変換部４Ｂが正常であると判定する。
【００４１】
本構成では、制御部２が信号制御部の一例に相当し、多相変換部４の各々の電圧変換部４Ａ，４Ｂに設けられた各々の駆動用のスイッチ素子に対しオン信号とオフ信号とを交互に切り替えるＰＷＭ信号を出力する構成をなし、所定の検査時期に、検査動作を行う対象の電圧変換部に対するＰＷＭ信号のデューティ比を変動させるように機能する。より具体的には、多相変換部４を構成する複数の電圧変換部４Ａ，４Ｂに対して電圧変換部毎に検査動作を行う際に、対象ではない電圧変換部に対して検査動作で変化されたデューティ比Ｄ２とは異なるデューティ比Ｄ１のＰＷＭ信号を出力し続けて電圧変換を継続させる構成となっている。
【００４２】
更に、複数の電圧検出部５４Ａ，５４Ｂは、検出部の一例に相当し、複数の電圧変換部４Ａ，４Ｂにおいて電圧変換部毎に出力電圧を検出する。制御部２は、異常特定部の一例に相当し、信号制御部によって検査動作が行われた検査時期における多相変換部４（複数の電圧変換部４Ａ，４Ｂ）の電圧の状態に基づいて、複数の電圧変換部４Ａ，４Ｂの中から電圧が異常となる「異常の電圧変換部」を特定するように機能する。具体的には、制御部２は、複数の電圧検出部５４Ａ，５４Ｂ（検出部）での検出結果に基づいて、検査動作が行われた対象の電圧変換部が異常であるか否かを特定している。
【００４３】
このような制御により、電圧変換部４Ａ，４Ｂのいずれかが異常であることが特定された場合、制御部２は、特定された「異常の電圧変換部」の動作を中止し、所定の異常情報を、通信インタフェース９０を介して上位システムに通知する。そして、制御部２は、多相変換部４を構成する複数の電圧変換部４Ａ，４Ｂのうち、「異常の電圧変換部」を除いた残余の電圧変換部に電圧変換を行わせる。例えば、電圧変換部４Ａが異常と判定され、電圧変換部４Ｂが正常と判定された場合、制御部２は、電圧変換部４Ａが異常であることを示す情報を、通信インタフェース９０を介して上位システムに通知する。そして、異常と特定された電圧変換部４Ａの動作を中止し、電圧変換部４Ａを除いた残余の電圧変換部４Ｂのみに電圧変換を行わせるように、多相変換部４の動作を継続する。なお、全ての電圧変換部４Ａ，４Ｂが異常と判定された場合、多相変換部４自体の動作を停止する。
【００４４】
本構成では、制御部２が動作制御部の一例に相当し、異常特定部によって「異常の電圧変換部」が特定された場合に、多相変換部４を構成する複数の電圧変換部４Ａ，４Ｂのうち、特定された「異常の電圧変換部」を除いた残余の電圧変換部に電圧変換を行わせるように機能する。
【００４５】
以上のように、本構成のＤＣＤＣコンバータ１では、ある検査時期に対象の電圧変換部に対するＰＷＭ信号のデューティ比を変動させるように検査動作を行った場合、対象が正常であれば、電圧が適正に変動することになり、対象が異常であれば、電圧が適正に変動しないことになる。よって、検査時期における多相変換部４での電圧状態に基づいて、異常の電圧変換部を特定する構成とすれば、異常が生じている相をより正確に特定しやすくなる。
【００４６】
そして、異常特定部によって特定がなされた場合、動作制御部に相当する制御部２は、多相変換部４を構成する複数の電圧変換部４Ａ，４Ｂのうち、特定された「異常の電圧変換部」を除いた残余の電圧変換部に電圧変換を行わせる。よって、異常となっている範囲（１又は複数の相）の動作を確実に停止し続けて保護を図りつつ、残余の電圧変換部によって電圧変換を継続することができる。
【００４７】
本構成のＤＣＤＣコンバータ１では、信号制御部に相当する制御部２は、多相変換部４を構成する複数の電圧変換部４Ａ，４Ｂに対して電圧変換部毎に検査動作を行う際に、検査動作の対象ではない電圧変換部に対して検査動作で変化されたデューティ比とは異なるデューティ比のＰＷＭ信号を出力し続けて電圧変換を継続させる構成となっている。この構成によれば、複数の電圧変換部４Ａ，４Ｂの動作をできるだけ停止させずに異常が生じている電圧変換部を特定することができる。
【００４８】
本構成のＤＣＤＣコンバータ１は、複数の電圧変換部４Ａ，４Ｂにおいて電圧変換部毎にそれぞれ対応付けられ且つ電圧変換部毎に電圧を検出するように構成された複数の電圧検出部５４Ａ，５４Ｂ（検出部）を備えている。そして、異常特定部に相当する制御部２は、検査動作が行われた対象の電圧変換部に対応付けられた電圧検出部での検出結果に基づいて、対象の電圧変換部が異常であるか否かを判断する構成となっている。この構成によれば、検査動作の対象の電圧変換部において、電圧がデューティ比の変動に伴ってどの程度変化したのかを、より正確に把握することができ、対象の電圧変換部が異常であるか否かをより正確に特定することができる。
【００４９】
＜実施例２＞
次に、実施例２について説明する。図３で示すように、実施例２のＤＣＤＣコンバータ２０１は、電圧検出部５４Ａ，５４Ｂに代えて電流検出部２５４Ａ，２５４Ｂを設けた点、及び異常検出制御での判断方法のみが実施例１と異なり、それ以外は実施例１と同一である。
【００５０】
以下、実施例２での異常検出制御について説明する。
図３で示すＤＣＤＣコンバータ２０１でも、イグニッション信号がオフからオンに切り替わった後、制御部２が、多相変換部４を動作させる。まず、電圧変換部４Ａ，４Ｂに対し上述した実施例１と同様の通常動作を行わせる。このとき、電圧変換部４Ａ，４Ｂに対するＰＷＭ信号のデューティ比は、二次側電源部６２の出力電圧Ｖ０（例えば１２Ｖ）よりも高い電圧Ｖ１（例えば１３Ｖ）が出力側導電路７２に出力される所定のデューティ比Ｄ１とする。具体的には、電圧変換部４Ａの保護用のスイッチ素子２０Ａ，２４Ａをオン状態に切り替え、駆動用のスイッチ素子５Ａ，６Ａのそれぞれに対し、デューティ比Ｄ１に設定されたＰＷＭ信号を出力する。デューティ比Ｄ１の設定は実施例１と同様である。同様に、電圧変換部４Ｂの保護用のスイッチ素子２０Ｂ，２４Ｂをオン状態に切り替え、駆動用のスイッチ素子５Ｂ，６Ｂのそれぞれに対し、デューティ比Ｄ１に設定されたＰＷＭ信号を出力する。電圧変換部４Ａ，４Ｂのそれぞれに対するＰＷＭ信号は、例えば公知の方法で位相をずらして行う。
【００５１】
その後、制御部２は、電圧変換部４Ａに対する検査動作を行う。具体的には、電圧変換部４Ａの保護用のスイッチ素子２０Ａ，２４Ａをオン状態としたまま、駆動用のスイッチ素子５Ａ，６Ａのそれぞれに対し、異常検出用のデューティ比Ｄ２に設定されたＰＷＭ信号を出力する。デューティ比Ｄ２は、実施例１と同様に設定され、例えば図２で示す「判定中」のように「判定前」のデューティ比Ｄ１よりも大きくする。電圧変換部４Ａは、変更されたデューティ比Ｄ２のＰＷＭ信号に応じて個別入力路４２Ａに印加された直流電圧を降圧し、個別出力路５２Ａに出力する電圧変換動作（検査動作）を行う。電圧変換部４Ａがこのような検査動作を行っている間は、他方の電圧変換部４Ｂに対してデューティ比Ｄ１のＰＷＭ信号を継続的に出力する。従って、電圧変換部４Ｂは、デューティ比Ｄ１のＰＷＭ信号に応じて個別入力路４２Ｂに印加された直流電圧を降圧し、個別出力路５２Ｂに出力する電圧変換動作（通常動作）を行う。制御部２は、このように電圧変換部４Ａのみのデューティ比を変更する制御を所定時間行い、この所定時間（検査期間）の間、個別出力路５２Ａの電流値Ｉａを第１閾値Ｉｔ１及び第２閾値Ｉｔ２と比較する。そして、電圧変換部４Ａのデューティ比がＤ２に変更された所定時間（検査期間）の間に、Ｉａ＞Ｉｔ１又はＩａ＜Ｉｔ２の状態が生じた場合には、電圧変換部４Ａを異常であると判定する。つまり、電圧変換部４Ａを「異常の電圧変換部」と特定する。逆に、所定時間の間、Ｉｔ２＜Ｉａ＜Ｉｔ１で維持された場合には電圧変換部４Ａが正常であると判定する。なお、図１の例では、個別出力路５２Ａの電流値Ｉａが電流検出部２５４Ａによって検出され、個別出力路５２Ｂの電流値Ｉｂが電流検出部２５４Ｂによって検出されるようになっており、それぞれの検出部で検出された電流値Ｉａ，Ｉｂは、制御部２に入力されるようになっている。
【００５２】
次に、制御部２は、電圧変換部４Ｂに対する検査動作を行う。具体的には、電圧変換部４Ｂの保護用のスイッチ素子２０Ｂ，２４Ｂをオン状態としたまま、駆動用のスイッチ素子５Ｂ，６Ｂのそれぞれに対し、上述した異常検出用のデューティ比Ｄ２に設定されたＰＷＭ信号を出力する。電圧変換部４Ｂは、変更されたデューティ比Ｄ２のＰＷＭ信号に応じて個別入力路４２Ｂに印加された直流電圧を降圧し、個別出力路５２Ｂに出力する電圧変換動作（検査動作）を行う。電圧変換部４Ｂがこのような検査動作を行っている間は、他方の電圧変換部４Ａに対してデューティ比Ｄ１のＰＷＭ信号を出力する。従って、電圧変換部４Ａは、デューティ比Ｄ１のＰＷＭ信号に応じて個別入力路４２Ａに印加された直流電圧を降圧し、個別出力路５２Ａに出力する電圧変換動作（通常動作）を行う。制御部２は、このように電圧変換部４Ｂのみのデューティ比を変更する制御を所定時間行い、この所定時間（検査期間）の間、個別出力路５２Ｂの電流値Ｉｂを第１閾値Ｉｔ１及び第２閾値Ｉｔ２と比較する。第１閾値Ｉｔ１は、デューティ比Ｄ２のときに個別出力路５２Ｂに流れるべき正常の電流値よりも少し高い電流値であり、第２閾値Ｉｔ２は、デューティ比Ｄ２のときに個別出力路５２Ｂに流れるべき正常の電流値よりも少し低い電流値である。そして、電圧変換部４Ｂのデューティ比がＤ２に変更された所定時間（検査期間）の間に、Ｉｂ＞Ｉｔ１又はＩｂ＜Ｉｔ２の状態が生じた場合には、電圧変換部４Ｂを異常であると判定する。つまり、電圧変換部４Ｂを「異常の電圧変換部」と特定する。逆に、所定時間の間、Ｉｔ２＜Ｉｂ＜Ｉｔ１で維持された場合には電圧変換部４Ｂが正常であると判定する。
【００５３】
複数の電流検出部２５４Ａ，２５４Ｂは、検出部の一例に相当し、複数の電圧変換部４Ａ，４Ｂにおいて電圧変換部毎に出力電流を検出する。そして、異常特定部の一例に相当する制御部２は、複数の電流検出部２５４Ａ，２５４Ｂ（検出部）での検出結果に基づいて、検査動作が行われた対象の電圧変換部が異常であるか否かを特定している。異常特定部によって「異常の電圧変換部」が特定された場合、動作制御部に相当する制御部２は、多相変換部４を構成する複数の電圧変換部４Ａ，４Ｂのうち、特定された「異常の電圧変換部」を除いた「残余の電圧変換部」に電圧変換を行わせる。よって、異常となっている範囲の動作を確実に停止し続けて保護を図りつつ、残余の電圧変換部によって動作を継続することができる。
【００５４】
＜実施例３＞
次に、実施例３について説明する。実施例３のＤＣＤＣコンバータ３０１は、電圧検出部５４Ａ，５４Ｂに代えて温度センサ３５４Ａ，３５４Ｂを設けた点、温度センサ３５９を設けた点、及び異常検出制御での判断方法のみが実施例１と異なり、それ以外は実施例１と同一である。
【００５５】
以下、実施例３での異常検出制御について説明する。
図４で示すＤＣＤＣコンバータ３０１でも、イグニッション信号がオフからオンに切り替わった後、制御部２が、多相変換部４を動作させる。まず、電圧変換部４Ａ，４Ｂに対し上述した通常動作を行わせる。このとき、電圧変換部４Ａ，４Ｂに対するＰＷＭ信号のデューティ比は、二次側電源部６２の出力電圧Ｖ０（例えば１２Ｖ）よりも高い電圧Ｖ１（例えば１３Ｖ）が出力側導電路７２に出力される所定のデューティ比Ｄ１とする。具体的には、電圧変換部４Ａの保護用のスイッチ素子２０Ａ，２４Ａをオン状態に切り替え、駆動用のスイッチ素子５Ａ，６Ａのそれぞれに対し、デューティ比Ｄ１に設定されたＰＷＭ信号を出力する。デューティ比Ｄ１の設定は実施例１と同様である。同様に、電圧変換部４Ｂの保護用のスイッチ素子２０Ｂ，２４Ｂをオン状態に切り替え、駆動用のスイッチ素子５Ｂ，６Ｂのそれぞれに対し、デューティ比Ｄ１に設定されたＰＷＭ信号を出力する。電圧変換部４Ａ，４Ｂのそれぞれに対するＰＷＭ信号は、例えば公知の方法で位相をずらして行う。
【００５６】
その後、制御部２は、電圧変換部４Ａに対する検査動作を行う。具体的には、電圧変換部４Ａの保護用のスイッチ素子２０Ａ，２４Ａをオン状態としたまま、駆動用のスイッチ素子５Ａ，６Ａのそれぞれに対し、異常検出用のデューティ比Ｄ２に設定されたＰＷＭ信号を出力する。デューティ比Ｄ２は、実施例１と同様の設定であり、例えば図２で示す「判定中」のように「判定前」のデューティ比Ｄ１よりも大きくする。電圧変換部４Ａは、変更されたデューティ比Ｄ２のＰＷＭ信号に応じて個別入力路４２Ａに印加された直流電圧を降圧し、個別出力路５２Ａに出力する電圧変換動作（検査動作）を行う。電圧変換部４Ａがこのような検査動作を行っている間は、他方の電圧変換部４Ｂに対してデューティ比Ｄ１のＰＷＭ信号を継続的に出力する。従って、電圧変換部４Ｂは、デューティ比Ｄ１のＰＷＭ信号に応じて個別入力路４２Ｂに印加された直流電圧を降圧し、個別出力路５２Ｂに出力する電圧変換動作（通常動作）を行う。制御部２は、このように電圧変換部４Ａのみのデューティ比を変更する制御を所定時間行い、この所定時間（検査期間）の間、駆動用のスイッチ素子５Ａの近傍に配置された温度センサ３５４Ａでの検出温度Ｔａを第１閾値Ｔｔ１及び第２閾値Ｔｔ２と比較する。そして、電圧変換部４Ａのデューティ比がＤ２に変更された所定時間（検査期間）の間に、Ｔａ＞Ｔｔ１又はＴａ＜Ｔｔ２の状態が生じた場合には、電圧変換部４Ａを異常であると判定する。つまり、電圧変換部４Ａを「異常の電圧変換部」と特定する。逆に、所定時間の間、Ｔｔ２＜Ｔａ＜Ｔｔ１で維持された場合には電圧変換部４Ａが正常であると判定する。なお、図１の例では、駆動用のスイッチ素子５Ａの近傍の温度が温度センサ３５４Ａによって検出され、駆動用のスイッチ素子５Ｂの近傍の温度が温度センサ３５４Ｂによって検出されるようになっており、それぞれの検出部で検出された温度Ｔａ，Ｔｂは、制御部２に入力されるようになっている。
【００５７】
次に、制御部２は、電圧変換部４Ｂに対する検査動作を行う。具体的には、電圧変換部４Ｂの保護用のスイッチ素子２０Ｂ，２４Ｂをオン状態としたまま、駆動用のスイッチ素子５Ｂ，６Ｂのそれぞれに対し、上述した異常検出用のデューティ比Ｄ２に設定されたＰＷＭ信号を出力する。電圧変換部４Ｂは、変更されたデューティ比Ｄ２のＰＷＭ信号に応じて個別入力路４２Ｂに印加された直流電圧を降圧し、個別出力路５２Ｂに出力する電圧変換動作（検査動作）を行う。電圧変換部４Ｂがこのような検査動作を行っている間は、他方の電圧変換部４Ａに対してデューティ比Ｄ１のＰＷＭ信号を出力する。従って、電圧変換部４Ａは、デューティ比Ｄ１のＰＷＭ信号に応じて個別入力路４２Ａに印加された直流電圧を降圧し、個別出力路５２Ａに出力する電圧変換動作（通常動作）を行う。制御部２は、このように電圧変換部４Ｂのみのデューティ比を変更する制御を所定時間行い、この所定時間（検査期間）の間、駆動用のスイッチ素子５Ｂの近傍に配置された温度センサ３５４Ｂでの検出温度Ｔｂを上述した第１閾値Ｔｔ１及び第２閾値Ｔｔ２と比較する。そして、電圧変換部４Ｂのデューティ比がＤ２に変更された所定時間（検査期間）の間に、Ｔｂ＞Ｔｔ１又はＴｂ＜Ｔｔ２の状態が生じた場合には、電圧変換部４Ｂが異常であると判定する。つまり、電圧変換部４Ｂを「異常の電圧変換部」と特定する。逆に、所定時間の間、Ｔｔ２＜Ｔｂ＜Ｔｔ１で維持された場合には電圧変換部４Ｂが正常であると判定する。
【００５８】
温度センサ３５４Ａ，３５４Ｂは、検出部の一例に相当し、複数の電圧変換部４Ａ，４Ｂにおいて電圧変換部毎に温度を検出する。そして、異常特定部の一例に相当する制御部２は、温度センサ３５４Ａ，３５４Ｂ（検出部）での検出結果に基づいて、検査動作が行われた対象の電圧変換部が異常であるか否かを特定している。このように異常特定部によって「異常の電圧変換部」が特定された場合、動作制御部に相当する制御部２は、多相変換部４を構成する複数の電圧変換部４Ａ，４Ｂのうち、特定された「異常の電圧変換部」を除いた「残余の電圧変換部」に電圧変換を行わせる。よって、異常となっている範囲の動作を確実に停止し続けて保護を図りつつ、残余の電圧変換部によって動作を継続することができる。
【００５９】
実施例３の構成では、ＤＣＤＣコンバータ１において、当該ＤＣＤＣコンバータ１の所定位置の温度（例えば、基板上の所定位置の温度）を検知する温度検知部が設けられていてもよい。例えば、基板上に複数の電子部品が実装された形でＤＣＤＣコンバータ１が構成されている場合、温度センサ３５４Ａ，３５４Ｂから離れた基板上の位置に温度検知部としての温度センサ３５９を設けておき、異常特定部に相当する制御部２は、この温度センサ３５９（温度検知部）で検知される温度が所定範囲内であることを条件として、上述した異常検出制御（検査動作の対象の電圧変換部に対応付けられた検出部での温度検出結果に基づいて、対象の電圧変換部が異常であるか否かを判断する制御）を行うように構成されていてもよい。
【００６０】
このようにすれば、ＤＣＤＣコンバータ３０１が予定されていない温度条件（所定位置の温度が所定範囲外となる条件）となっているときに、温度に基づく異常判断がなされてしまうことを防ぐことができる。
【００６１】
＜他の実施例＞
本発明は上記記述及び図面によって説明した実施例に限定されるものではなく、例えば次のような実施例も本発明の技術的範囲に含まれる。
（１）上述した実施例における一次側電源部６１や二次側電源部６２の具体例はあくまで一例であり、蓄電手段の種類や発生電圧は上述した例に限定されず、様々に変更することができる。
（２）図１の例では、入力側導電路や出力側導電路に接続される発電機や負荷などは省略して示したが、様々な装置や電子部品を入力側導電路や出力側導電路に接続することができる。
（３）実施例１では、ローサイド側にスイッチ素子６Ａ，６Ｂを設けた構成を例示したが、これらの素子をダイオードに変更した構成であってもよい。
（４）実施例１では、２つの電圧変換部４Ａ，４Ｂが並列に接続された２相構造のＤＣＤＣコンバータ１を例示したが、３以上の電圧変換部が並列に接続された３相以上の構造であってもよい。例えば、図５のような４層構造のＤＣＤＣコンバータ４０１であってもよい。図５のＤＣＤＣコンバータ４０１は、電圧変換部４Ａ，４Ｂに加えて、電圧変換部４Ｃ，４Ｄを並列に設けた点が図１のＤＣＤＣコンバータ１と異なっており、それ以外は、図１のＤＣＤＣコンバータ１と同様である。電圧変換部４Ｃ，４Ｄの各々は、電圧変換部４Ａ，４Ｂの各々と同一の構成となっている。なお、図５では、入力側の保護用のスイッチ素子（図１の保護用のスイッチ素子２０Ａ等と同様に構成され、同様に機能する素子）の図示を省略しているが、個別入力路４２Ａ，４２Ｂ，４２Ｃ，４２Ｄにそれぞれ設けることができる。また、出力側のスイッチ素子（図１の保護用のスイッチ素子２４Ａ等と同様に構成され、同様に機能する素子）の図示を省略しているが、個別出力路５２Ａ，５２Ｂ，５２Ｃ，５２Ｄにそれぞれ設けることができる。
（５）実施例１では、異常特定部に相当する制御部２が多相変換部４を構成する複数の電圧変換部の中から、異常である電圧変換部を特定していたが異常特定部に相当する制御部２は、異常である電圧変換部を含む組を特定する構成であってもよい。例えば、図５のＤＣＤＣコンバータ４０１において、電圧変換部４Ａ，４Ｂの組のデューティ比を上述したＤ２に設定し、電圧変換部４Ｃ，４Ｄの組のデューティ比を上述したＤ１に設定した状態で、電圧変換部４Ａ，４Ｂの個別出力路の電圧又は電流のいずれか、若しくは、駆動用のスイッチ素子近傍の温度が所定の正常範囲であるか否かを判断し、正常範囲である場合に、電圧変換部４Ａ，４Ｂの組を「正常である電圧変換部の組」と判定し、そうでない場合に、電圧変換部４Ａ，４Ｂの組を「異常である電圧変換部の組」と判定するようにしてもよい。同様に、電圧変換部４Ａ，４Ｂの組のデューティ比を上述したＤ１に設定し、電圧変換部４Ｃ，４Ｄの組のデューティ比を上述したＤ２に設定した状態で、電圧変換部４Ｃ，４Ｄの個別出力路の電圧又は電流のいずれか、若しくは、駆動用のスイッチ素子近傍の温度が所定の正常範囲であるか否かを判断し、正常範囲である場合に、電圧変換部４Ｃ，４Ｄの組を「正常である電圧変換部の組」と判定し、そうでない場合に、電圧変換部４Ｃ，４Ｄの組を「異常である電圧変換部の組」と判定するようにしてもよい。
このように異常特定部によって特定がなされた場合、動作制御部に相当する制御部２は、多相変換部４を構成する複数の電圧変換部４Ａ，４Ｂ，４Ｃ，４Ｄのうち、異常特定部によって特定された「異常である電圧変換部の組」を除いた残余の電圧変換部に電圧変換を行わせればよい。
（６）実施例１の構成において、二次側電源部６２（蓄電部）が所定の正常状態であることを検出する蓄電状態検出部が設けられていてもよい。具体的には、制御部２又は図示しないバッテリセンサが蓄電状態検出部として機能し、例えば、多相変換部４が動作していない時期の出力側導電路７２の電圧が所定電圧以上である場合に、二次側電源部６２（蓄電部）が所定の正常状態であると判定し、そうでない場合に二次側電源部６２（蓄電部）が異常状態であると判定するように構成されていてもよい。そして、二次側電源部６２（蓄電部）が上述した「所定の正常状態」であると判定された場合に限って、上述の異常検出制御を行うようにしてもよい。
（７）いずれの実施例の構成においても、ＤＣＤＣコンバータの温度が所定範囲にある場合にのみ、上述した異常検出制御を行うようにしてもよく、ＤＣＤＣコンバータの出力電流が所定範囲にある場合にのみ、上述した異常検出制御を行うようにしてもよい。或いは、ＤＣＤＣコンバータの温度及び出力電流がいずれも適正範囲にある場合にのみ、上述した異常検出制御を行うようにしてもよい。
【符号の説明】
【００６２】
１，２０１，３０１，４０１…ＤＣＤＣコンバータ（多相コンバータ）
２…制御部（信号制御部、異常特定部、動作制御部）
４Ａ，４Ｂ，４Ｃ，４Ｄ…電圧変換部
５４Ａ，５４Ｂ…電圧検出部（検出部）
２５４Ａ，２５４Ｂ…電流検出部（検出部）
３５４Ａ，３５４Ｂ…温度センサ（検出部）
３５９…温度センサ（温度検知部）
【図１】
0006414533.tif 000002
【図２】
0006414533.tif 000003
【図３】
0006414533.tif 000004
【図４】
0006414533.tif 000005
【図５】
0006414533.tif 000006